(57)【要約】【課題】  本発明は、断面変形管、即ち、水流量に応じて断面を変形する性質の管を用い、変動幅の大きい排水流れをあらゆる流量域において満流流れに近い状態を維持し低騒音排水システムを完成したものである。【解決手段】  雨水や器具排水管の経路中に、常態で偏平であり内圧によって開口して筒体となる断面変形管（合成樹脂製或いはゴム製の可撓性ホ−ス）を連結したことを特徴とする低騒音排水システム。１‥可撓性ホ−ス、１１‥軒樋、１３‥集合桝。【選択図】  図２
2006009387.tif 000002
【特許請求の範囲】
【請求項１】
雨水や器具排水管の経路中に、常態で偏平であり内圧によって開口して筒体となる断面変形管を連結したことを特徴とする低騒音排水システム。
【請求項２】
断面変形管が可撓性ホ−スである請求項１記載の低騒音排水システム。
【請求項３】
可撓性ホ−スが合成樹脂製或いはゴム製である請求項２記載の低騒音排水システム。
【発明の詳細な説明】
【技術分野】
【０００１】
本発明は、低騒音排水システムに関するものであり、特に言えば、雨水排水立管による雨水排水の際の低騒音排水システムに係るものである。
【背景技術】
【０００２】
一般に、戸建住宅等の小規模建築の雨水排水は、比較的大径で断面剛性のある管（５０〜１００ｍｍ）の雨水排水立管を屋外に設置し、地表まで自然落下させて敷地排水系統に接続し排水する。
【０００３】
しかるに、上記のような戸建住宅等の小規模建築の雨水排水を、外観デザインや敷地設計条件等の理由で小径排水管の屋内隠蔽配管工法とすることがある。しかるに、極く少雨量か設計最大雨量の満流排水時には比較的低騒音であるが、部分排水負荷流れとなる中間流量域の低充水率流れでは、一般に気液二相の環状又は混相流となり、配管の曲がり部等で流水が管壁を叩く流水音が発生する。
【０００４】
一方、排水立管を小径管としサイホン力により衛生器具設備の器具排水システム（特許文献１）、或いは雨水を搬送するサイホン式雨水排水システムがある（特許文献２）。しかしながら、かかるシステムの場合にも、改良点は大きいとは言え、実際的なシステムとして施工する際には、多くの制約があり、騒音の発生を制御するという面では改良が要請される点もある。
【０００５】
【特許文献１】特開２０００−２９７４４７
【０００６】
【特許文献２】特願２００４−０６９１４９
【０００７】
特許文献１にあっては主として器具からもたらされる排水の横枝管にサイホン式システムを利用したものであり、特許文献２にあっては、雨水を搬送するために開発されたサイホン式システムに係るものである。係るサイホン式システムにあっても、前記した従来のシステムと同様に管壁を叩く流水音が生じることは避けられない。
【０００８】
特に、後者の小径管によるサイホン式雨水排水システムにあっても、従来の雨水排水システムの場合と同様に屋内壁隠蔽配管とする要望がある。この場合の管材として、一般に用いられる銅、ステンレス鋼管等の金属管、硬質塩ビ管やその他の樹脂管等は、いずれも管断面形状を維持する性質がある。
【０００９】
従って、部分排水が生じた場合には、排水に対して管断面に余裕があるので、空の管内を滝のように水が流れる状況となり、管壁を叩く流水音が騒音源として知覚されることが避けられない。
【発明の開示】
【発明が解決しようとする課題】
【００１０】
本発明は以上のような従来の技術に鑑みてなされたものであり、排水管内の流水音を低騒音レベルでかつ低コストにとどめるシステムを提供するものである。
【課題を解決するための手段】
【００１１】
本発明は、雨水や器具排水管の経路中に、常態で偏平であり内圧によって開口して筒体となる断面変形管を連結したことを特徴とする低騒音排水システムであって、断面変形管が合成樹脂製或いはゴム製であるシステムを提供するものである。
【発明の効果】
【００１２】
本発明は以上の通りの排水システムであって、断面変形管、即ち、水流量に応じて断面を変形する性質の管を用い、変動幅の大きい排水流れをあらゆる流量域において満流流れに近い状態を維持し低騒音排水システムを完成したものである。
【発明を実施するための最良の形態】
【００１３】
本発明の排水システムは雨水排水や器具排水に適用可能であるが、以下、主として雨水排水システムをもって更に説明する。さて、通常の雨水排水システムに用いられる管材は、剛性が高い断面形を維持する性質のある管材が広く用いられている。従って、小流量排水時には管内に空気が混入し、低充水率流れとなり管壁を叩く流水音の成長が居室の許容騒音レベル３５ｄＢ（Ａ）を越える騒音レベル（５０〜６０ｄＢ（Ａ））に達する。この騒音源を配管の遮音被覆や隠蔽空間の遮音・吸音性能向上で対応すると、多くの空間と資源と施工手間が必要となり高コストとなってしまう。
【００１４】
本発明は、雨水排水の流量レンジが３桁に達する変動幅があることに着眼し、通常の断面形剛性の大きい金属管や樹脂管に替え、排水のない時は管断面がフラットな偏平状態を維持して管断面積が最小で待機し、排水が流入すると排水の重量と位置圧力で管断面を徐々に膨張変形して、その流量に応じて管断面を線状から円形状まで自動調整する特性の管を用いたことを最大の特徴とするものである。かかる性状の管を排水管として用いれば、例えば、１〜１００（ｍｍ／時間）の降雨強度に対応する幅広い負荷変動に対して排水管内の流れを満流流れとすることができ、従来のような空気の混入とあいまって排水が管壁を叩くような作用をせず、流水音をほとんど無音に近い状態で排水することができたものである。
【００１５】
尚、衛生器具排水システムにあっても、排水の流れ初めや排水の終わり近くでは流量が減少して流水音が大きくなる。横枝管内の流量変動の幅は少ないが騒音源となる事情は同様である。
【００１６】
本発明で用いられる断面変形管の例としては、繊維強化された合成樹脂製やゴム製の管材や、形状記憶樹脂、弾性金属、形状記憶金属材料等を用いた断面変形可能な管材が例示でき、雨水排水システムやトイレ等の器具排水システムに用いれば、低流水音原理により排水管設備の騒音問題が低コストで解決できるのである。
【００１７】
尚、このような特性を既存の自動制御技術である流量センサーとバルブ制御で設計する場合には、高価な資源と高コストとなるばかりでなく、故障リスクやコスト負担増に見合わず、現在のところ低コスト、低騒音排水管は存在しないといっても過言ではない。
【実施例】
【００１８】
以下、本発明を図面をもって更に詳細に説明する。図１は本発明の排水システムに用いられる断面変形管１を示すものである。基体２はこの例ではゴム製長尺筒体であり、そして、この外周表面を覆って補強用繊維層３が一体的に成形されている。かかる可撓性ホ−スは未加硫ゴム筒体と未加硫ゴムがコ−トされた補強繊維層３を重ね合わせ、これを可撓性ホ−スとして一体加硫成形するものであり、この際、常態では偏平に癖付けされたものである。勿論、未加硫ゴム筒体上に繊維コ−ドが編み上げられ、或いはスパイラルに巻き上げられ、これを加硫成形して得られる場合もある。
【００１９】
この加硫成形の一例は、未加硫ゴム筒体内に加硫成形時にゴムと接着しないプレ−トを挿入し、偏平にプレスしながら一定時間加熱し加硫成形することになる。勿論、その後プレ−トを筒体内より引き抜き、常態では偏平に癖付けされ、内圧がかかると拡がる断面変形管となるものである。尚、プ−リ−等に偏平に巻き取り、これを加熱する方法、円形の内プレス型に張力を掛けつつ偏平に巻き付け、これを加熱する方法によっても得られることは言うまでもない。
【００２０】
図２はここで得られた断面変形管（可撓性ホ−ス）１を雨水排水管として適用した際の概念図を示すものである。符号１１は軒樋であり、これより垂直に接続部材１２が備えられている。かかる接続部材１２に可撓性ホ−ス１を連結し、この可撓性ホ−ス１を垂下させ、集合桝１３の接続部材１４に連結する。図中、１５は連結バンドである。可撓性ホ−ス１の形態にあっては、上端の接続部材１２に連結された部位が開口して断面が円形となり、他端の接続部材１４に連結された部位が同様に円形に開口しているだけであり、その間にあっては、可撓性ホ−ス１は常態の偏平になっている。
【００２１】
従って、降雨によって雨水が軒樋１１より可撓性ホ−ス１内に流れ込んだ際、その重量を増加することによって可撓性ホ−ス１が上方より徐々に開口して雨水がその分だけ溜り、この開口状態が徐々に連結部材１４に至って可撓性ホ−ス１全長が開口し、かつ、可撓性ホ−ス１内に雨水が充満した状態であるため、満流流れとなり、ここに至って極めて速やかに排水できることとなるものである。
【００２２】
このように、可撓性ホ−ス１内に雨水が満タンとなり、これがそのまま流れ出すもので、従来のような管壁を雨水が叩くような現象は見られなくなった。
【００２３】
上記の例は、雨水排水管の全体を可撓性ホ−スをもって形成したが、場合によっては、その一部にかかる可撓性ホ−スを適用してもよいことは言うまでもない。
【００２４】
図３は特許文献１における横枝管２０にこの可撓性ホ−ス１を採用した例であり、洗面台２１の接続部材２２に可撓性ホ−ス１を接続して横枝管２０とし、他端を横枝管２０よりも下方にて備えた合流継手２３にまで導いたものである。従って、洗面台２１からの排水によって可撓性ホ−ス１が徐々に開口し内部に排水が充満した状態となる。このため、可撓性ホ−ス１の全長に渡って排水が満たされた時に満流流れとなって立管２４内の雨水と合流するものである。この例にあっても、サイホン流れを伴って一気に排水されるものであり、従来のように雨水がチョロチョロ流れるような騒音として好ましくない現象を減ずるものである。
【００２５】
又、従来の技術にあって、横枝管２０と立管２４への合流継手２３は同一平面上にあったが、この場合の横枝管２０の代わりに可撓性ホ−ス１を用いることによって、雨水がチョロチョロ流れるような騒音として好ましくない現象を減ずるものである。
【００２６】
尚、本発明の可撓性ホ−スを図３における立管２４に適用することも可能である。
【産業上の利用可能性】
【００２７】
本発明の雨水排水立管用サイホン起動装置を採用すれば、頻度の高い少雨量降雨時でも、雨水排水軒樋或いはル−フドレンに接続した容器内に雨水を溜水することにより、通常では雨水排水立管に流れる連続少流量流れを、設計最大排水能力時と同等の満流間欠流れに変換し、雨水に掃流力を与えかかる立管の詰まりを予防するもので、戸建て住宅への適用もマンション等のル−フドレンにも適用可能であり、その利用範囲は極めて広い。
【図面の簡単な説明】
【００２８】
【図１】図１は本発明の排水システムに用いられる可撓性ホ−スを示す。
【図２】図２は可撓性ホ−スを雨水排水管として適用した際の概念図を示す。
【図３】図３は特許文献１における横枝管に可撓性ホ−スを採用した例である。
【符号の説明】
【００２９】
１‥可撓性ホ−ス、
２‥可撓性ホ−ス基体、
３‥補強用繊維層、
１１‥軒樋、
１２‥接続部材、
１３‥集合桝、
１４‥接続部材、
１５‥接続バンド、
２０‥横枝管、
２１‥洗面台、
２２‥接続部材、
２３‥合流継手、
２４‥立管。
【図１】
2006009387.tif 000003
【図２】
2006009387.tif 000004
【図３】
2006009387.tif 000005